(57)【要約】【課題】表示板と表示パネルとが隣接した表示装置であっても、表示領域の確保を可能とした表示装置を提供する。【解決手段】光源３と、光源３から出射された光によって照明される指針１と、指針１の背後に所定距離を隔てて配置され、光を透過する透過表示部と光を透過しない不透過部とを備えた表示板２と、表示板２の背後に配置された導光体８と、少なくとも一部が透過表示部と重なるように導光体８の背後側に配置される表示パネル４と、を備えた表示装置において、表示板２は、指針１によって指示される第１の指標部２２０を有した第１の表示部２１と、第１の表示部２１と隣接した第２の表示部２２とを有し、表示パネル４は、第２の表示部２２を通して視認されることによって、観察者は、表示パネル４の指示画像４１をドットパターン層２１ｂ越しに視認することができる。【選択図】図１
2015049069.tif 000002
【特許請求の範囲】
【請求項１】
光源と、前記光源から出射された光によって照明される指針と、前記指針の背後に所定距離を隔てて配置され、光を透過する透過表示部と光を透過しない不透過部とを備えた表示板と、前記表示板の背後に配置された光透過性部材と、少なくとも一部が前記不透過部と重なるように前記光透過性部材の背後側に配置される表示パネルと、を備えた表示装置において、
前記表示板は、前記指針によって指示される第１の指標部を有した第１の表示部と、前記第１の表示部と隣接した第２の表示部とを有し、前記表示パネルは、前記第２の表示部を通して視認されることを特徴とする表示装置。
【請求項２】
前記第２の表示部は、前記第１の指標部と連続的に視認されるように配置された第２の指標部を有していることを特徴とする請求項１に記載の表示装置。
【請求項３】
前記表示パネルは、前記第２の指標部を指示する指示画像を表示することを特徴とする請求項１又は請求項２に記載の表示装置。
【請求項４】
前記透過表示部及び前記背景部の前面には、輝度調整層が形成されていることを特徴とする請求項１から請求項３のいずれか１項に記載の表示装置。
【請求項５】
前記背景部は、前記第１の表示部と前記第２の表示部との境界部にグラデーション部を有していることを特徴とする請求項１から請求項４のいずれか１項に記載の表示装置。
【発明の詳細な説明】
【技術分野】
【０００１】
本発明は、光源から出射された光を導光体にて導光して指針を照明する表示装置に関して、特に、複数の表示領域を備えた表示装置に関するものである。
【背景技術】
【０００２】
従来、表示板上で回動する指針を光透過性の部材から形成し、表示板の背後に光源を配置し、この光源からの照明光を表示板の貫通孔を通じて指針に供給し、指針自体を光輝させる表示装置が知られている（特許文献１）。また、表示板の背後に表示パネルを配置して、種々の情報を表示させる表示部を備えた表示装置が知られている（特許文献２）。
【先行技術文献】
【特許文献】
【０００３】
【特許文献１】特開２０１３−４４６２１号公報
【特許文献２】特開２０１２−１９４１３８号公報
【発明の概要】
【発明が解決しようとする課題】
【０００４】
しかしながら、特許文献２に係る表示装置の構成では、表示板と表示パネルの表示部が重なって配置されるため、表示パネルの端部を文字板が覆うように構成され、表示領域が狭まってしまうという問題点があり、表示領域の確保が要望されていた。
【０００５】
本発明は、上記実状に鑑みてなされたものであり、表示板と表示パネルとが重なって配置された表示装置であっても、表示領域の確保を可能とした表示装置を提供することを特徴とする。
【課題を解決するための手段】
【０００６】
本発明に係る表示装置は、光源と、前記光源から出射された光によって照明される指針と、前記指針の背後に所定距離を隔てて配置され、光を透過する透過表示部と光を透過しない不透過部とを備えた表示板と、前記表示板の背後に配置された光透過性部材と、少なくとも一部が前記不透過部と重なるように前記光透過性部材の背後側に配置される表示パネルと、を備えた表示装置において、
前記表示板は、前記指針によって指示される第１の指標部を有した第１の表示部と、前記第１の表示部と隣接した第２の表示部とを有し、前記表示パネルは、前記第２の表示部を通して視認されることを特徴とする。
【０００７】
また、本発明に係る表示装置は、前記第２の表示部は、前記第１の指標部と連続的に視認されるように配置された第２の指標部を有していることを特徴とする。
【０００８】
また、本発明に係る表示装置は、前記表示パネルは、前記第２の指標部を指示する指示画像を表示することを特徴とする。
【０００９】
また、本発明に係る表示装置は、前記透過表示部及び前記不透過部の前面には、輝度調整層が形成されていることを特徴とする。
【００１０】
また、本発明に係る表示装置は、前記不透過部は、前記第１の表示部と前記第２の表示部との境界にグラデーション部を有していることを特徴とする。
【発明の効果】
【００１１】
本発明によれば、表示板と表示パネルとが隣接した表示装置であっても、表示領域の確保を可能とした表示装置を提供することができる。
【図面の簡単な説明】
【００１２】
【図１】本発明の第１実施形態に係る表示装置の正面図及び断面図。
【図２】図１に示す表示装置の断面拡大図。
【図３】図１に示す表示装置の拡大図。
【発明を実施するための形態】
【００１３】
本発明の一実施形態に係る車両用表示装置を、図面を参照して説明する。
【００１４】
車両用表示装置は、指針１と、表示板２と、光源３と、表示パネル４と、駆動本体５と、指針軸６と、ケース体７と、導光体８と、回路基板９とから主に構成されている。
【００１５】
指針１は、ポリカーボネートやアクリル合成樹脂からなる透光性の指針本体１０と、この指針本体１０の回動中心領域の前方及びその周囲を覆って背後が開口する、黒色系の遮光性合成樹脂からなる遮光性部材であるキャップ形の遮光性カバー１１と、指針本体１０の回動中心領域の背後に固定され、黒色系の遮光性合成樹脂からなる円盤形の基部（図示せず）とからなる。
【００１６】
表示板２は、図２に示すように、透明な合成樹脂からなる基板２ａの表面に、アナログメータの指針１周縁を囲む第１の表示部２１と、表示パネル４と重なって視認される第２の表示部２２と、表示板２の着色層が形成されていない透明部分によって表示パネル４を透視可能な第３の表示部２３とを構成したものである。
【００１７】
第１の表示部２１は、基板２ａに黒色の不透過層２１ａを形成し、不透過層２１ａの上に、暗色系の灰色等からなるハニカム形状のドットパターン層２１ｂを形成する。次に、ドットパターン層２１ｂの上に目盛や数字等からなる第１の指標部２１０となる光透過層（白）２１ｃと、この光透過層２１ｃの縁取り層（黒）２１ｄを形成した後に、オーバーコート層２１ｅを積層する。
【００１８】
第２の表示部２２は、観察者から見た際に、表示板２の印刷層と表示パネル４とが重なる箇所であって、不透過層２１ａが形成されていない部分を示している。また、第２の表示部２２は、基板２ａ上の黒色の不透過層２１ａから連続して徐々に密から粗となるように形成されるグラデーション部２２ａを有している。グラデーション部２２ａの上にはドットパターン層２１ｂが形成され、ドットパターン層２１ｂの上に第２の指標部２２０となる光透過層（白）２２ｃと、この光透過層の縁取り層（黒）２２ｄを形成した後に、オーバーコート層２１ｅを積層する。この際、第１の指標部２１０と第２の指標部２２０とは、それぞれの目盛や数字が連続して視認されるように配置されている。
【００１９】
また、ドットパターン層２１ｂは、その形状の粗密を変化させることで、光の透過率を調整することが可能であり、図３（ａ）がドットを粗に形成した形態を示し、（ｂ）がドットを密に形成した形態を示す。
【００２０】
第３の表示部２３は、透明な基板に不透過層２１ａやドットパターン層２１ｂが形成されず、オーバーコート層２１ｅのみが塗装されているので、表示パネル４を透視することができる。
【００２１】
なお、ドットパターン層２１ｂは、ハニカム形状に限らず網目構造であればよく、例えば三角形や四角形等からなる形状であっても同様の効果が得られる。
【００２２】
光源３は、表面実装可能な発光ダイオードであり、指針軸６の周囲に複数設けられて
いる。
【００２３】
表示パネル４は、例えばTFTディスプレイなどを用いることができ、その前面側に表示板２が配置される。表示パネル４と第２の表示部２２とが重なる箇所には、第２の指標部２２０を背面から指示する指示画像４１が表示される。
【００２４】
指示画像４１は、例えば、帯状の指示バーや警告マーク等を用いて回転数のレッドゾーン値域とシフトアップワーニング値域や、スピードの制限速度値域とクルーズコントロールの設定値域等を表すものである。
【００２５】
導光体８は、透光性の合成樹脂から形成され、光源３から出射した光を受光する受光部８１と、導光体８内を導光された光を表示板に出射する出射部８２とを有している。
【００２６】
このような車両用表示装置において、光源３の光は、その一部が指針基部の裏面側に設けられた受光部（図示せず）より指針本体１０内部に侵入し、指針１を照明する。また、その他の光は、導光体８の受光部８１から導光体８内に入射し、出射部８２から導光体８内に導光され、導光体８内を乱反射しながら進行し表示板２に到達する。
【００２７】
導光体８によって導光され表示板２を照明する光のうち第１の表示部２１に到達する光は不透過層２１ａによって遮光されるため、第１の指標部２１０のみが照明される。また、第２の表示部２２に到達する光は、不透過層２１ａが形成されていない箇所を透過し、ドットパターン層２１ｂ及び光透過層（白）２２ｃを透過することで、縁取り層２２ｄによって縁取りされた第２の指標部２２０が照明される。
【００２８】
第１の表示部２１と第２の表示部２２との境界は、グラデーション部２２ａが徐々に透過率が高くなるように形成されているので、境界線をぼかして見せることができる。また、ドットパターン層２１ｂとグラデーション部２２ａとのドット配列を互いと同一方向としないことによって、さらに境界線をぼかして見せることも可能となる。
【００２９】
このように、本発明は、光源３と、光源３から出射された光によって照明される指針１と、指針１の背後に所定距離を隔てて配置され、光を透過する透過表示部と光を透過しない不透過部とを備えた表示板２と、表示板２の背後に配置された導光体８と、少なくとも一部が不透過部と重なるように導光体８の背後側に配置される表示パネル４と、を備えた車両用表示装置において、
表示板２は、指針１によって指示される第１の指標部２２０を有した第１の表示部２１と、第１の表示部２１と隣接した第２の表示部２２とを有し、表示パネル４は、第２の表示部２２を通して視認されることによって、表示板２と表示パネル４とが重なって配置された表示装置であっても、表示領域を確保することができる。
【００３０】
また、本発明は、第２の表示部２２は、第１の指標部２１０と連続的に視認されるように配置された第２の指標部２２０を有していることによって、複数の表示部が形成された車両用表示装置であっても、指標部が連続して視認されることで一体感を得ることができる。
【００３１】
また、本発明は、表示パネル４は、第２の指標部２２０を指示する指示画像４１を表示することによって、観察者は、表示パネル４の指示画像４１をドットパターン層２１ｂ越しに視認することができる。
【００３２】
また、本発明は、透過表示部及び不透過層２１ａの前面には、ドットパターン層２１ｂが形成されていることによって、ドットパターン層２１ｂの密度によって透過率を調整することができるので、指標部の意匠イメージを阻害することなく表示パネル４の指示画像４１をドットパターン層２１ｂ越しに視認することができる。
【００３３】
また、本発明は、不透過層２１ａは、第１の表示部２１と第２の表示部２２との境界部にグラデーション部２１ｂを有していることによって、第１の表示部２１と第２の表示部２２との境界線をぼかして見せることができるので、複数の表示部を有した表示装置であっても一体感を得ることができる。
【符号の説明】
【００３４】
１      指針
２      表示板
３      光源
４      表示パネル
５      駆動本体
６      指針軸
７      貫通孔
８      導光体（光透過性部材）
９      回路基板
１０    指針本体
２１    第１の表示部
２１ａ  不透過層（不透過部）
２１ｂ  ドットパターン層（輝度調整層）
２１ｃ、２２ｃ  不透過層（黒）
２１ｄ、２２ｄ  光透過層（白）
２１ｅ  オーバーコート層
２２    第２の表示部（透過表示部）
２２ａ  グラデーション部
２３    第３の表示部（透過表示部）
８１    受光部
８２    出射部
２１０  第１の指標部
２２０  第２の指標部
【図１】
2015049069.tif 000003
【図２】
2015049069.tif 000004
【図３】
2015049069.tif 000005